(57)【要約】      （修正有）【課題】襟羽根の襟先部分をピンと張った状態に保持し、型崩れを防止することができ、また、襟羽根の襟先以外の部分をしっかり立たせるとともに、自由な襟元を形作ることができるシャツ類用襟芯を提供する。【解決手段】シャツ類用襟芯１は、可撓性を有する材料で形成されており、シャツ類の襟羽根ｓ１の襟先部分ｓ２に位置させる襟先部材１ａと、シャツ類の台襟ｓ３とこの台襟に連なって折り返される襟羽根に沿って位置させる添装部材１ｂとからなり、襟先部材１ａと添装部材１ｂとを略への字状に一体的に連ねて形成したことを特徴とする。添装部材１ｂを任意の形状に変形されることにより、自由な襟元を作ることができる。【選択図】図３
0003184552.tif 000002
【実用新案登録請求の範囲】
【請求項１】
可撓性を有する材料で形成されている襟芯であって、シャツ類の襟羽根の襟先部分に位置させる襟先部材と、この襟先部材をシャツ類の襟先部分に位置させたときシャツ類の台襟とこの台襟に連なって折り返される襟羽根に沿って位置させる添装部材とからなり、前記襟先部材と前記添装部材とを略への字状に一体的に連ねて形成したことを特徴とするシャツ類用襟芯。
【請求項２】
シャツ類の襟羽根の襟先部分に襟芯を挿入するためのポケットが設けられている場合には、このポケットに襟芯の一部である襟先部材を挿入し、この襟先部材に対して略への字状に一体的に連なっている添装部材を、シャツ類の台襟とこの台襟に連なって折り返される襟羽根との間に台襟に沿って挟むことを特徴とする請求項１記載のシャツ類用襟芯。
【請求項３】
シャツ類の襟羽根の襟先部分に襟芯を挿入するためのポケットが設けられていない場合には、このポケットを形成するべく襟先部分の裏側にポケット形成布を重ね合わせてポケットを形成し、このポケットに襟芯の一部である襟先部材を挿入し、この襟先部材に対して略への字状に一体的に連なっている添装部材を、シャツ類の台襟とこの台襟に連なって折り返される襟羽根との間に台襟に沿って挟むことを特徴とする請求項１記載のシャツ類用襟芯。
【請求項４】
請求項２もしくは請求項３記載のポケットがシャツ類の襟羽根の襟先部分に設けられていない場合には、シャツ類の台襟とこの台襟に連なって折り返される襟羽根内の襟先部分に襟芯の一部である襟先部材を、この襟先部材に対して略への字状に一体的に連なっている添装部材を、前記台襟に連なって折り返される襟羽根内において台襟に沿って縫い込んだことを特徴とするシャツ類用襟芯。
【請求項５】
襟先部材の先端を、先に行くにしたがって細くすることを特徴とする請求項１〜４のいずれか１項に記載のシャツ類用襟芯。
【考案の詳細な説明】
【技術分野】
【０００１】
本考案は、ワイシャツ、ブラウス、ポロシャツその他各種のシャツ類の襟羽根の襟先部分と、シャツ類の台襟とこの台襟に連なって折り返される前記襟羽根に沿って装着される襟芯に関するものである。
【背景技術】
【０００２】
ワイシャツ、ブラウス、ポロシャツその他各種のシャツ類には、古くからその襟羽根の襟先部分の裏側にポケットを形成し、このポケットにプラスチックス製の襟芯を挿入したものや、襟先部分の内側にプラスチックス製の襟芯を縫い込んだものがある（例えば、特許文献１参照）。
【先行技術文献】
【特許文献】
【０００３】
【特許文献１】実公昭４８−４６５３号公報（第１図）
【０００４】
また、この襟芯を襟先部分に簡便に装着することができるように、布帛に対して接着可能な接着剤を付与したものも存在する（例えば、特許文献２参照）。
【０００５】
【特許文献２】実願昭４７−０１０１４４号（実開昭４８−０８５８２１号）のマイクロフィルム（第１図、第２図）。
【考案の概要】
【考案が解決しようとする課題】
【０００６】
古くから使用されてきたこの襟芯の形状は真っ直ぐであり、この真っ直ぐな襟芯をシャツ類Ｓ’の襟羽根ｓ１’の襟先部分ｓ２’の裏側に装着した場合には、図４に示すように、襟羽根ｓ１’の襟先部分ｓ２’をピンと張った状態に保持でき、襟先部分ｓ２’の型崩れを防止することができる。しかしながら、従来の襟芯によれば、この機能を果たすのみで、台襟ｓ３’に連なって折り返される襟羽根ｓ１’の襟先ｓ２’以外の部分を台襟ｓ３’に沿わせてしっかり立たせることができず、ともすれば同図に示すように襟羽根ｓ１’の襟先部分ｓ２’がどうしても寝てしまう傾向にあった。したがって、シャツ類Ｓ’を華やかに着飾るには、程遠いものであった。また、台襟ｓ３’に連なって折り返される襟羽根ｓ１’の襟先ｓ２’以外の部分を任意の形状に変形させることができないため、自由な襟元を形作ることはできなかった。
本考案は、これらの欠点を解消することを目的とするものである。
【課題を解決するための手段】
【０００７】
この目的を達成するため、本考案によるシャツ類用襟芯は、可撓性を有する材料で形成されている襟芯であって、シャツ類の襟羽根の襟先部分に位置させる襟先部材と、この襟先部材をシャツ類の襟先部分に位置させたときシャツ類の台襟とこの台襟に連なって折り返される襟羽根に沿って位置させる添装部材とからなり、前記襟先部材と前記添装部材とを図１に示すように略への字状に一体的に連ねて形成したことを特徴とするものである。
【０００８】
本考案の襟芯によれば、襟芯の一部である襟先部材をシャツ類の襟羽根の襟先部分に位置させ、この襟先部材と略への字状に一体的に連なっている添装部材を、シャツ類の台襟とこの台襟に連なって折り返される襟羽根に沿って位置させる。すると、前記襟先部材でシャツ類の襟羽根の襟先部分をピンと張った状態に保持でき、襟先部分の型崩れを防止することができる。また、この襟先部材に対して略への字状に一体的に連なっている前記添装部材により、台襟に連なって折り返される襟羽根の襟先以外の部分を台襟に沿わせてしっかり立たせることができる。
【０００９】
シャツ類の襟羽根の襟先部分に襟芯を挿入するためのポケットが設けられている場合には、このポケットに襟芯の一部である襟先部材を挿入し、この襟先部材に対して略への字状に一体的に連なっている添装部材を、シャツ類の台襟とこの台襟に連なって折り返される襟羽根との間に台襟に沿って挟む。
【００１０】
すなわち、図２に示すように、シャツ類の襟羽根の襟先部分に設けられたポケットに襟芯の一部である襟先部材を挿入し、この襟先部材に対して略への字状に一体的に連なっている添装部材を、シャツ類の台襟とこの台襟に連なって図３に拡大して示すように折り返される襟羽根との間に台襟に沿って挟むように装着する。すると、図３において拡大して示すように、前記襟先部材でシャツ類の襟羽根の襟先部分をピンと張った状態に保持でき、襟先部分の型崩れを防止することができる。また、この襟先部材に対して略への字状に一体的に連なっている前記添装部材により、台襟に連なって折り返される襟羽根の襟先以外の部分を台襟に沿わせてしっかり立たせることができる。
【００１１】
シャツ類の襟羽根の襟先部分に襟芯を挿入するためのポケットが設けられていない場合には、このポケットを形成するべく、襟先部分の裏側にポケット形成布を重ね合わせてポケットを形成し、このポケットに襟芯の一部である襟先部材を挿入し、この襟先部材に対して略への字状に一体的に連なっている添装部材を、シャツ類の台襟とこの台襟に連なって折り返される襟羽根との間に台襟に沿って挟む。
【００１２】
すなわち、シャツ類の襟羽根の襟先部分に襟芯を挿入するためのポケットを形成するべく、襟先部分の裏側にポケット形成布を重ね合わせてポケットを形成し、このポケットに襟芯の一部である襟先部材を挿入し、この襟先部材に対して略への字状に一体的に連なっている添装部材を、シャツ類の台襟とこの台襟に連なって折り返される襟羽根との間に台襟に沿って挟む。すると、前記襟先部材でシャツ類の襟羽根の襟先部分をピンと張った状態に保持でき、襟先部分の型崩れを防止することができる。また、この襟先部材に対して略への字状に一体的に連なっている前記添装部材により、台襟に連なって折り返される襟羽根の襟先以外の部分を台襟に沿わせてしっかり立たせることができる。
【００１３】
上記いずれかのポケットがシャツ類の襟羽根の襟先部分に設けられていない場合には、シャツ類の台襟とこの台襟に連なって折り返される襟羽根内の襟先部分に襟芯の一部である襟先部材を、この襟先部材に対して略への字状に一体的に連なっている添装部材を、前記台襟に連なって折り返される襟羽根内において台襟に沿って縫い込む。
【００１４】
すると、前記襟先部材でシャツ類の襟羽根の襟先部分をピンと張った状態に保持でき、襟先部分の型崩れを防止することができる。また、この襟先部材に対して略への字状に一体的に連なっている前記添装部材により、台襟に連なって折り返される襟羽根の襟先以外の部分を台襟に沿わせてしっかり立たせることができる。
【００１５】
そして、いずれの場合においても、襟芯の可撓性を利用して前記添装部材を任意の形状に変形させることにより、台襟に連なって折り返される襟羽根の襟先以外の部分を任意の形状に変形させることができる。したがって、自由な襟元を形作ることができる。
【００１６】
襟先部材の先端を、先に行くにしたがって細くすることが望ましい。このようにした場合には、シャツ類の襟羽根の襟先部分に設けられたポケットに襟芯の一部である襟先部材を、あるいは、このポケットが襟羽根の襟先部分に設けられていない場合には、このポケットを形成するべく襟先の裏側にポケット形成布を重ね合わせることにより形成されたポケットに、襟芯の一部である襟先部材を挿入しやすい。
【考案の効果】
【００１７】
請求項１記載の考案によれば、襟芯の一部である襟先部材をシャツ類の襟羽根の襟先部分に位置させ、この襟先部材と略への字状に一体的に連なっている添装部材を、シャツ類の台襟とこの台襟に連なって折り返される襟羽根に沿って位置させることにより、前記襟先部材でシャツ類の襟羽根の襟先部分をピンと張った状態に保持でき、襟先部分の型崩れを防止することができる。また、この襟先部材に対して略への字状に一体的に連なっている前記添装部材により、台襟に連なって折り返される襟羽根の襟先以外の部分を台襟に沿わせてしっかり立たせることができる。
【００１８】
請求項２記載の考案によれば、シャツ類の襟羽根の襟先部分に襟芯を挿入するためのポケットが設けられている場合には、このポケットに襟芯の一部である襟先部材を挿入し、この襟先部材に対して略への字状に一体的に連なっている添装部材を、シャツ類の台襟とこの台襟に連なって折り返される襟羽根との間に台襟に沿って挟むことにより、前記襟先部材でシャツ類の襟羽根の襟先部分をピンと張った状態に保持でき、襟先部分の型崩れを防止することができる。また、この襟先部材に対して略への字状に一体的に連なっている前記添装部材により、台襟に連なって折り返される襟羽根の襟先以外の部分を台襟に沿わせてしっかり立たせることができる。
【００１９】
請求項３記載の考案によれば、シャツ類の襟羽根の襟先部分に襟芯を挿入するためのポケットを形成するべく、襟先部分の裏側にポケット形成布を重ね合わせてポケットを形成し、このポケットに襟芯の一部である襟先部材を挿入し、この襟先部材に対して略への字状に一体的に連なっている添装部材を、シャツ類の台襟とこの台襟に連なって折り返される襟羽根との間に台襟に沿って挟むことにより、前記襟先部材でシャツ類の襟羽根の襟先部分をピンと張った状態に保持でき、襟先部分の型崩れを防止することができる。また、この襟先部材に対して略への字状に一体的に連なっている前記添装部材により、台襟に連なって折り返される襟羽根の襟先以外の部分を台襟に沿わせてしっかり立たせることができる。
【００２０】
請求項４記載の考案によれば、シャツ類の襟羽根の襟先部分にポケットが設けられていない場合には、シャツ類の台襟とこの台襟に連なって折り返される襟羽根内の襟先部分に襟芯の一部である襟先部材を、この襟先部材に対して略への字状に一体的に連なっている添装部材を、前記台襟に連なって折り返される襟羽根内において台襟に沿って縫い込むことにより、前記襟先部材でシャツ類の襟羽根の襟先部分をピンと張った状態に保持でき、襟先部分の型崩れを防止することができる。また、この襟先部材に対して略への字状に一体的に連なっている前記添装部材により、台襟に連なって折り返される襟羽根の襟先以外の部分を台襟に沿わせてしっかり立たせることができる。
【００２１】
そして、請求項１〜４のいずれかに記載の考案によれば、襟芯の可撓性を利用して前記添装部材を任意の形状に変形させることにより、台襟に連なって折り返される襟羽根の襟先以外の部分を任意の形状に変形させることができる。したがって、自由な襟元を形作ることができる。
【００２２】
請求項５記載の考案によれば、シャツ類の襟羽根の襟先部分に設けられたポケットに襟芯の一部である襟先部材を、あるいは、このポケットが襟羽根の襟先部分に設けられていない場合には、このポケットを形成するべく襟先の裏側にポケット形成布を重ね合わせることにより形成されたポケットに、襟芯の一部である襟先部材を挿入しやすい。
【図面の簡単な説明】
【００２３】
【図１】本考案によるシャツ類用襟芯の一例を示す平面図である。
【図２】図１に示すシャツ類用襟芯の使用状態を示す平面図で、シャツ類の台襟に連なって折り返される襟羽根を折り返さない状態で示す。
【図３】図２の状態からシャツ類の台襟に連なる襟羽根を折り返した状態を正面から見たシャツ類の斜視図と、その一部を拡大して示す斜視図である。
【図４】襟羽根の襟先部分の裏側にポケットを形成し、このポケットにプラスチックス製の襟芯を挿入した従来のシャツ類を正面から見た斜視図である。
【考案を実施するための形態】
【００２４】
本考案によるシャツ類用襟芯の一例を、図面に基づいて詳細に説明する。ここに例示するシャツ類用襟芯１は、ワイシャツ、ブラウス、ポロシャツその他各種のシャツ類Ｓの襟羽根ｓ１の襟先部分ｓ２と、シャツ類Ｓの台襟ｓ３とこの台襟ｓ３に連なって折り返される前記襟羽根ｓ１に沿って装着されるもので、可撓性を有する材料で形成されている。
【００２５】
すなわち、この襟芯１の基本形態は、図１に示すように、シャツ類Ｓの襟羽根ｓ１の襟先部分ｓ２に位置させる襟先部材１ａと、この襟先部材１ａをシャツ類Ｓの襟先部分ｓ２に位置させたときシャツ類Ｓの台襟ｓ３とこの台襟ｓ３に連なって折り返される襟羽根ｓ１に沿って位置させる添装部材１ｂとからなっており、前記襟先部材１ａと前記添装部材１ｂとを略への字状に一体的に連ねて形成されている。
【００２６】
そして、この襟芯１の一部である襟先部材１ａを、シャツ類Ｓの襟羽根ｓ１の襟先部分ｓ２に位置させ、この襟先部材１ａと略への字状に一体的に連なっている添装部材１ｂを、シャツ類Ｓの台襟ｓ３とこの台襟ｓ３に連なって折り返される襟羽根ｓ１に沿って位置させる。すると、前記襟先部材１ａでシャツ類Ｓの襟羽根ｓ１の襟先部分ｓ２をピンと張った状態に保持でき、襟先部分ｓ２の型崩れを防止することができる。また、この襟先部材１ａに対して略への字状に一体的に連なっている前記添装部材１ｂにより、台襟ｓ３に連なって折り返される襟羽根ｓ１の襟先ｓ２以外の部分を台襟ｓ３に沿わせてしっかり立たせることができる。
【００２７】
図２に示すように、シャツ類Ｓの襟羽根ｓ１の襟先部分ｓ２の裏側にポケット形成布２’を重ね合わせて襟芯１を挿入するためのポケット２が設けられている場合には、同図に示すように、このポケット２に襟芯１の一部である襟先部材１ａを挿入し、この襟先部材１ａに対して略への字状に一体的に連なっている添装部材１ｂを、シャツ類Ｓの台襟ｓ３とこの台襟ｓ３に連なって折り返される襟羽根ｓ１との間に台襟ｓ３に沿って挟む。なお、図２では、シャツ類Ｓの台襟ｓ３に連なって折り返される襟羽根ｓ１を折り返さない状態で示してある。
【００２８】
すなわち、図２に示すように、シャツ類Ｓの襟羽根ｓ１の襟先部分ｓ２に設けられたポケット２に襟芯１の一部である襟先部材１ａを挿入し、この襟先部材１ａに対して略への字状に一体的に連なっている添装部材１ｂを、シャツ類Ｓの台襟ｓ３とこの台襟ｓ３に連なって図３に拡大して示すように折り返される襟羽根ｓ１との間に台襟ｓ３に沿って挟むように装着する。すると、図３において拡大して示すように、前記襟先部材１ａでシャツ類Ｓの襟羽根ｓ１の襟先部分ｓ２をピンと張った状態に保持でき、襟先部分ｓ２の型崩れを防止することができる。また、この襟先部材１ａに対して略への字状に一体的に連なっている前記添装部材１ｂにより、台襟ｓ３に連なって折り返される襟羽根ｓ１の襟先ｓ２以外の部分を台襟ｓ３に沿わせてしっかり立たせることができる。
【００２９】
図面には示さないが、シャツ類Ｓの襟羽根ｓ１の襟先部分ｓ２に襟芯１を挿入するためのポケット（図２において符号２で示す）が設けられていない場合には、このポケットを形成するべく、襟先部分ｓ２の裏側に図２において符号２’で示すポケット形成布を重ね合わせ、襟先部材１ａを挿入する部分を除いた縁を例えば熱接着により襟先部分ｓ２に接合して、図２において符号２で示すようにポケットを形成し、このポケット２に襟芯１の一部である襟先部材１ａを挿入し、この襟先部材１ａに対して略への字状に一体的に連なっている添装部材１ｂを、シャツ類Ｓの台襟ｓ３とこの台襟ｓ３に連なって折り返される襟羽根ｓ１との間に台襟ｓ３に沿って挟むものとする。
なお、上記ポケット形成布を襟先部分ｓ２に接合する手段は、上述の熱接着以外の方法で行っても良い。
【００３０】
すると、上記の場合と同様に、前記襟先部材１ａでシャツ類Ｓの襟羽根ｓ１の襟先部分ｓ２をピンと張った状態に保持でき、襟先部分ｓ２の型崩れを防止することができる。また、この襟先部材１ａに対して略への字状に一体的に連なっている前記添装部材１ｂにより、台襟ｓ３に連なって折り返される襟羽根ｓ１の襟先ｓ２以外の部分を台襟ｓ３に沿わせてしっかり立たせることができる。
【００３１】
また、図面には示さないが、前記いずれかのポケット（図２において符号２で示す）がシャツ類Ｓの襟羽根ｓ１の襟先部分ｓ２に設けられていない場合には、シャツ類Ｓの台襟ｓ３とこの台襟ｓ３に連なって折り返される襟羽根ｓ１内の襟先部分ｓ２に襟芯１の一部である襟先部材１ａを、この襟先部材１ａに対して略への字状に一体的に連なっている添装部材１ｂを、前記台襟ｓ３に連なって折り返される襟羽根ｓ１内において台襟ｓ３に沿って縫い込むものとする。
【００３２】
すると、上記の場合と同様に、前記襟先部材１ａでシャツ類Ｓの襟羽根ｓ１の襟先部分ｓ２をピンと張った状態に保持でき、襟先部分ｓ２の型崩れを防止することができる。また、この襟先部材１ａに対して略への字状に一体的に連なっている前記添装部材１ｂにより、台襟ｓ３に連なって折り返される襟羽根ｓ１の襟先ｓ２以外の部分を台襟ｓ３に沿わせてしっかり立たせることができる。
【００３３】
そして、上記いずれの場合においても、襟芯１の可撓性を利用して前記添装部材１ｂを任意の形状に変形させることによって、台襟ｓ３に連なって折り返される襟羽根ｓ１の襟先ｓ２以外の部分を任意の形状に変形させることができる。したがって、自由な襟元を形作ることができる。
【００３４】
ここには、襟先部材１ａの先端１ａ’を、先に行くにしたがって細くした場合が例示されている。襟先部材１ａの先端１ａ’をこのような形状にすることにより、シャツ類Ｓの襟羽根ｓ１の襟先部分ｓ２に設けられたポケット２に襟芯１の一部である襟先部材１ａを、あるいは、このポケット２が襟羽根ｓ１の襟先部分ｓ２に設けられていない場合には、このポケット２を形成するべく、襟先ｓ２の裏側に図２において符号２’で示すポケット形成布を重ね合わせることにより形成されたポケット２に、襟芯１の一部である襟先部材１ａを挿入しやすい。
【産業上の利用可能性】
【００３５】
本考案のよるシャツ類用襟芯は、ワイシャツ、ブラウス、ポロシャツその他各種のシャツ類の襟羽根の襟先部分と、シャツ類の台襟とこの台襟に連なって折り返される前記襟羽根に沿って装着することができるものであり、その適用範囲は極めて広い。
【符号の説明】
【００３６】
１…襟芯、１ａ…襟先部材、１ａ’…先端、１ｂ…添装部材、２…ポケット、２’…ポケット形成布、Ｓ…シャツ類、ｓ１…襟羽根、ｓ２…襟先部分、ｓ３…台襟。
【図１】
0003184552.tif 000003
【図２】
0003184552.tif 000004
【図３】
0003184552.tif 000005
【図４】
0003184552.tif 000006